(57)【要約】【課題】  折り曲げ角度が深いときでも視認性・可読性が低下しない電子ブックおよびその表示方法を提供すること。【解決手段】  ２画面を有し開閉可能に構成されている電子ブック１において、角度検出部４は電子ブック１の見開き角度を検出する。表示制御部５は、角度検出部４が検出した見開き角度に応じて、表示画面６の表示制御を行う。表示制御部５が行う制御としては、表示画面６の領域を所定の大きさに分割し、所定の領域にのみコンテンツを表示する表示領域の大きさの制御や、見開き状態の表示画面６の手前から奥に向かって輝度・コントラストを段階的に上げていく制御がある。【選択図】  図２
2006243360.tif 000002
【特許請求の範囲】
【請求項１】
連結部で連結された少なくとも２つの表示画面を有し、当該連結部を中心とした前記２つの表示画面間の見開き角度を任意に調節できるようにした電子ブックであって、
前記見開き角度を検出する角度検出部と、
電子ブックコンテンツを前記２つの表示画面に表示するとともに、前記角度検出部によって検出された見開き角度に応じて当該２つの表示画面の表示状態を変化させる表示制御部とを備える電子ブック。
【請求項２】
前記表示制御部は、前記角度検出部によって検出された見開き角度に応じて、各前記２つの表示画面における前記連結部の近傍の画面領域の表示状態だけを変化させるものであることを特徴とする、請求項１に記載の電子ブック。
【請求項３】
前記表示制御部は、
（ａ）前記角度検出部によって検出された見開き角度が所定の閾値を超えているときには、各前記２つの表示画面の画面全体に電子ブックコンテンツを表示し、
（ｂ）前記角度検出部によって検出された見開き角度が所定の閾値を下回っているときには、各前記２つの表示画面における前記連結部の近傍の画面領域を非表示とし、残りの画面領域にのみ電子ブックコンテンツを表示することを特徴とする、請求項１に記載の電子ブック。
【請求項４】
前記表示制御部は、
（ａ）前記角度検出部によって検出された見開き角度が所定の閾値を超えているときには、各前記２つの表示画面の輝度レベルを画面全体で均一とし、
（ｂ）前記角度検出部によって検出された見開き角度が所定の閾値を下回っているときには、各前記２つの表示画面における前記連結部の近傍の画面領域の輝度を、残りの画面領域と比して相対的に高くすることを特徴とする、請求項１に記載の電子ブック。
【請求項５】
前記表示制御部は、
（ａ）前記角度検出部によって検出された見開き角度が所定の閾値を超えているときには、各前記２つの表示画面のコントラストを画面全体で均一とし、
（ｂ）前記角度検出部によって検出された見開き角度が所定の閾値を下回っているときには、各前記２つの表示画面における前記連結部の近傍の画面領域のコントラストを、残りの画面領域と比して相対的に高くすることを特徴とする、請求項１に記載の電子ブック。
【請求項６】
連結部で連結された少なくとも２つの表示画面を有し、当該連結部を中心とした前記２つの表示画面間の見開き角度を任意に調節できるようにした電子ブックに用いられる表示方法であって、
前記見開き角度を検出する角度検出ステップと、
電子ブックコンテンツを前記２つの表示画面に表示するとともに、前記角度検出部によって検出された見開き角度に応じて当該２つの表示画面の表示状態を変化させる表示制御ステップとを有する、電子ブックに用いられる表示方法。
【発明の詳細な説明】
【技術分野】
【０００１】
本発明は、電子ブックおよび電子ブックに用いられる表示方法に関し、より特定的には、少なくとも２つの表示画面を有する電子ブックおよびその表示方法に関する。
【背景技術】
【０００２】
近年、電子表示媒体の解像度やコントラストなどハード面の性能の向上と価格の低下、及び紙を使わないというエコロジーの観点から、マンガ本や単行本などを携帯用の表示装置に表示して読むための電子表示装置、いわゆる電子ブックが市販されるようになってきた。また、書籍の形状を模倣した２画面表示の電子ブックも知られている（例えば、特許文献１）。このような２画面表示の電子ブックでは、利用者は、紙の本を読むように読書を楽しむことができる。
【特許文献１】特開２００３−１９６０１２号公報
【発明の開示】
【発明が解決しようとする課題】
【０００３】
しかしながら、実際の電子本のような電子表示媒体の使用環境を考慮すると、例えば読んでいる内容を人に見せたくない場合や、混雑した電車の中の狭い空間しか確保できない場合など、見開き形状の電子本を深い角度で折り曲げて読む必要がある。一般的に、電子ブックの画面は紙よりもコントラストが低く、視認性、可読性に劣っている。そのため、折り曲げ角度が深くなると、十分な反射光が得られないため奥に表示されている文字が非常に読みにくくなるという問題がある。
【０００４】
それ故に、本発明の目的は、折り曲げ角度が深いときでも視認性・可読性が低下しない電子ブックおよびその表示方法を提供することである。
【課題を解決するための手段】
【０００５】
上記目的を達成するために、本発明は以下のような構成を採用した。
【０００６】
第１の発明は、連結部で連結された少なくとも２つの表示画面を有し、当該連結部を中心とした２つの表示画面間の見開き角度を任意に調節できるようにした電子ブックであって、見開き角度を検出する角度検出部と、電子ブックコンテンツを２つの表示画面に表示するとともに、角度検出部によって検出された見開き角度に応じて当該２つの表示画面の表示状態を変化させる表示制御部とを備える電子ブックである。なお、ここでいう表示画面の表示状態の変化とは、表示画面の表示領域の大きさや、画面の明るさ（輝度・コントラスト等）を変化させることをいう。
【０００７】
第２の発明は、第１の発明において、表示制御部は、角度検出部によって検出された見開き角度に応じて、各２つの表示画面における連結部の近傍の画面領域の表示状態だけを変化させる。
【０００８】
第３の発明は、第１の発明において、表示制御部は、（ａ）角度検出部によって検出された見開き角度が所定の閾値を超えているときには、各２つの表示画面の画面全体に電子ブックコンテンツを表示し、（ｂ）角度検出部によって検出された見開き角度が所定の閾値を下回っているときには、各２つの表示画面における連結部の近傍の画面領域を非表示とし、残りの画面領域にのみ電子ブックコンテンツを表示する。
【０００９】
第４の発明は、第１の発明において、表示制御部は、（ａ）角度検出部によって検出された見開き角度が所定の閾値を超えているときには、各２つの表示画面の輝度レベルを画面全体で均一とし、（ｂ）角度検出部によって検出された見開き角度が所定の閾値を下回っているときには、各２つの表示画面における連結部の近傍の画面領域の輝度を、残りの画面領域と比して相対的に高くする。
【００１０】
第５の発明は、第１の発明において、表示制御部は、（ａ）角度検出部によって検出された見開き角度が所定の閾値を超えているときには、各２つの表示画面のコントラストを画面全体で均一とし、（ｂ）角度検出部によって検出された見開き角度が所定の閾値を下回っているときには、各２つの表示画面における連結部の近傍の画面領域のコントラストを、残りの画面領域と比して相対的に高くする。
【００１１】
第６の発明は、連結部で連結された少なくとも２つの表示画面を有し、当該連結部を中心とした２つの表示画面間の見開き角度を任意に調節できるようにした電子ブックに用いられる表示方法であって、見開き角度を検出する角度検出ステップと、電子ブックコンテンツを２つの表示画面に表示するとともに、角度検出部によって検出された見開き角度に応じて当該２つの表示画面の表示状態を変化させる表示制御ステップとを有する、電子ブックに用いられる表示方法である。
【発明の効果】
【００１２】
上記第１の発明によれば、角度検出部から得られた電子ブックの見開き角度に応じて２つの表示画面の表示状態を変化させることができる。その結果、例えば電子ブックを深い角度で折り曲げて利用するときでも、利用者に見やすい表示状態でコンテンツを表示することできる。
【００１３】
上記第２の発明によれば、角度検出部によって検出された見開き角度に応じて、各２つの表示画面における連結部の近傍の画面領域（折り曲げたときの電子ブックの谷間部分）の表示状態だけを変化させることができる。そのため、利用者にとって見にくい、連結部の近傍の画面領域について、利用者が見やすいような表示状態に調整することができ、利便性の向上を図ることができる。
【００１４】
上記第３の発明によれば、電子ブックを折り曲げて利用する場合において、利用者にとって見にくい、連結部近傍の画面領域を非表示とし、残りの画面領域にのみ電子ブックコンテンツを表示する。そのため、電子ブックを折り曲げて利用するとき、利用者にとって見易い、手前側の表示領域にのみコンテンツを表示できる。その結果、電子ブック折り曲げ時における視認性を向上させることができ、利便性の向上を図ることができる。
【００１５】
上記第４の発明によれば、電子ブックを折り曲げて利用する場合において、利用者にとって見にくい、連結部の近傍の画面領域について輝度を上げることで視認性を向上させることができ、利便性の向上を図ることができる。
【００１６】
上記第５の発明によれば、電子ブックを折り曲げて利用する場合において、利用者にとって見にくい、連結部の近傍の画面領域についてコントラストを上げることで視認性を向上させることができ、利便性の向上を図ることができる。
【００１７】
また、本発明の電子ブックに用いられる表示方法によれば、上述した第１の発明と同様の効果を得ることができる。
【発明を実施するための最良の形態】
【００１８】
以下、本発明の実施の形態について、図面を参照して説明する。尚、この実施例により本発明が限定されるものではない。
【００１９】
図１は、本発明の実施形態に係る電子ブック１の外観図である。図１（ａ）において、電子ブック１は、書籍の形状を模倣した２画面表示の電子ブックである。一方の表示画面６ａを有する部材１３ａと、もう一方の表示画面６ｂを有する部材１３ｂは中央のヒンジ部１１で接続されている。このヒンジ部１１を基軸として、左右に見開くことができるよう開閉可能な構成になっている。図１（ａ）では、電子ブックの見開き角度は１８０度である。一方、図１（ｂ）は、電子ブック１を閉じた状態（見開き角度＝０度）の概観図である。また、図１（ｃ）は、電子ブック１を半分開いた状態（見開き角度＝９０度）の概観図である。
【００２０】
入力部３は、利用者が電子ブックを操作するための各種操作ボタンである。例えば、電源のＯＮ／ＯＦＦや、ページめくりコマンドが入力される。また、後述する表示制御モードの選択についても、入力部３から行われる。
【００２１】
ヒンジ部１１には、角度検出部４が設けられている。角度検出部４は、例えばロータリタイプの検出スイッチが考えられる。当該検出スイッチにおいては、ヒンジ部１１の回転に伴って、角度検出部４の操作部（図示せず）が回転する。これに同期して角度検出部４内部の可動接点が回転し、設定した角度で固定端子と接触、ＯＮ／ＯＦＦすることで回転角度を検出することができる。
【００２２】
コンテンツ格納媒体挿入部１４には、コンテンツが格納されている媒体、例えば、ＣＤ−ＲＯＭやメモリーカード等の可搬性記憶媒体が挿入される。
【００２３】
図２は、本発明の第１の実施形態に係る電子ブックの機能構成を示すブロック図である。図２において、電子ブック１は、コンテンツ取得部２、入力部３、角度検出部４、表示制御部５、表示画面６とを備えている。
【００２４】
コンテンツ取得部２は、コンテンツ格納媒体挿入部１４に挿入されたＣＤ−ＲＯＭやメモリーカード等の可搬性記憶媒体からコンテンツを読み出し、表示制御部５に出力する。また、外部との通信が可能な通信部（図示せず）を設け、アンテナなどを介して、外部からコンテンツを入手してもよい。なお、ここでは、コンテンツのデータは画像形式で格納されているとする。
【００２５】
入力部３は、上述したように利用者が電子ブックを操作するための情報を入力するための装置である。入力部３から入力された指示のうち、画面表示制御に関する指示は、表示制御部５に出力される。
【００２６】
角度検出部４は、上述したように電子ブック１の見開き角度を検出し、表示制御部５に通知する。
【００２７】
表示制御部５は、上記取得したコンテンツを表示画面６に表示する。また、角度検出部４が検出した角度に応じて表示画面６の表示領域や輝度・コントラストの調整等の画面表示制御を行う。
【００２８】
表示画面６は、反射型液晶ディスプレイや有機ＥＬ（ｅｌｅｃｔｒｏｌｕｍｉｎｅｓｃｅｎｃｅ）ディスプレイ等が該当する。
【００２９】
次に、本実施形態における電子ブック１の動作の概要を説明する。まず、本実施形態における電子ブック１には、「通常表示モード」と「特殊表示モード」の２つの表示モードがある。「通常表示モード」は、見開き角度が９０度以上のときにおいて、初期値として設定されている輝度・コントラストで、表示画面６の全面を使用してコンテンツを表示する。一方、「特殊表示モード」は、電子ブック１の見開き角度が９０度未満の時に作動し、見開き角度に応じて表示画面の表示制御を行う。「特殊表示モード」においては、更に以下の３つの「表示制御モード」がある。
（１）見開き角度に応じて表示画面の表示領域の大きさが変わる「領域制御モード」。
（２）見開き角度に応じて表示画面の輝度が変わる「輝度制御モード」。
（３）見開き角度に応じて表示画面のコントラストが変わる「コントラスト制御モード」。
利用者は、これら３つのモードのうち１つをあらかじめ、あるいは電子ブック動作中の任意のタイミングで選択する。そして、特殊表示モードにおいては、選択された制御モードに基づいて画面の表示制御が行われる。なお、利用者が表示制御モードを明示的に選択しない場合を想定し、初期値として「領域制御モード」が設定されている。以上のような表示モードを有する電子ブック１において、電子ブック１が動作中、角度検出部４は見開き角度の変化を随時監視する。そして、見開き角度の変化が検出されたときに、その角度に応じて、通常表示モードと特殊表示モードを切替えて表示する。
【００３０】
以下、図３〜図８を用いて、電子ブックが行うコンテンツ表示処理の詳細動作を説明する。まず、利用者が図示しない電源スイッチを入れることにより、電子ブック１が起動される。電子ブック１の起動後、利用者は、コンテンツの入ったＣＤ−ＲＯＭをコンテンツ取得部２に挿入する。コンテンツ取得部２は、当該ＣＤ−ＲＯＭからコンテンツを読み込み、表示制御部５にデータを渡す（ステップＳ１）。次に、利用者は、必要に応じて表示制御モードを設定する。すなわち、上記の３つの表示制御モードのうち、任意のモード（初期値は「領域制御モード」）を１つ選択する。なお、利用者は、電子ブック動作中であれば、いつでも任意のタイミングで表示制御モードの選択ができる。
【００３１】
次に、角度検出部４は、電子ブック１の見開き角度を検出する。そして、検出した角度（以下、検出角度と称す）を表示制御部５に通知する（ステップＳ２）。表示制御部５は、当該検出角度に基づいて見開き角度に変化があったか否かを判定する（ステップＳ３）。当該判定の方法としては、例えば検出角度を図示しない記憶部に一時的に保持しておき、新たに通知された検出角度と記憶部内の検出角度とを比較する等の方法が考えられる。ステップＳ３の判定の結果、見開き角度に変化が生じていれば（ステップＳ３でＹＥＳ）、表示制御部５は、処理をステップＳ５に進める。一方、見開き角度に変化が生じていないときは（ステップＳ３でＮＯ）、表示制御部５は、処理を次のステップＳ４に進める。
【００３２】
ステップＳ４においては、表示制御部５は、表示制御モードの変更が生じたか否かを判定する。すなわち、利用者が入力部３を介して制御モードの変更を行ったか否かを判定する。当該判定の結果、表示制御モードの変更が生じていなければ（ステップＳ４でＮＯ）、上記ステップＳ２に戻って処理を繰り返す。一方、表示制御モードの変更が生じていれば（ステップＳ４でＹＥＳ）、表示制御部５は、処理を次のステップＳ５に進める。
【００３３】
ステップＳ５においては、表示制御部５は、上記検出角度が９０度以上か否かを判定する。当該判定の結果、検出角度が９０度以上のときは（ステップＳ５でＹＥＳ）、上記通常表示モードでの表示を行う（ステップＳ８）。すなわち、ステップＳ８において、表示制御部５は、初期設定されている表示設定（輝度・コントラスト等）で、コンテンツの内容を表示画面６に表示する。一方、検出角度が９０度未満のときは（ステップＳ５でＮＯ）、表示制御部５は、上記特殊表示モードで表示するために、以下に述べる表示制御処理（ステップＳ６）を行う。
【００３４】
図４は、上記ステップＳ６で示した表示制御処理の詳細を示すフローチャートである。図４において、まず、表示制御部５は、現在選択されている表示制御モードが領域変更モードか否かを判定する（ステップＳ１１）。当該判定の結果、領域変更モードが選択されている場合は（ステップＳ１１でＹＥＳ）、表示制御部５は、検出角度に応じて表示画面６の表示領域を調整する（ステップＳ１２）。このステップＳ１２の処理を、図５を用いてより具体的に説明する。図５は、ステップＳ１２で行われる表示領域の調整の一例である。図５において、表示画面６のヒンジ部１１側の一定領域を非表示領域５２とし、その他の領域を表示領域５１とするように表示画面６の領域の調整を行う。すなわち、人間の眼から見て手前のほうにコンテンツを表示し、奥のほうは何も表示しない状態にする。
【００３５】
表示制御部５は、まず、次式を用いて表示領域５１の横幅Ｙを算出する。
Ｙ＝（Ｘ／９０）×Ｗ
上記の式において、Ｘは、検出角度を示し、Ｗは表示画面６ａおよび６ｂそれぞれの横幅を示す。なお、計算の簡略化のため、ここでは、検出角度を四捨五入し、１０度単位に正規化された値を用いてＹを算出している。例えば、Ｘが６５度のときは７０度として、６４度のときは６０度としてＹを算出する。また、算出されるＹについても小数点以下を四捨五入して扱うものとする。Ｙが算出できれば、表示制御部５は、各表示画面の外側から内側に向かってＹまでの領域（縦幅は変化せず）を表示領域５１とし、それ以外の領域を非表示領域５２と決定する。
【００３６】
表示領域５１および非表示領域５２の大きさを決定すれば、次に、表示制御部５は、表示する画像データ（コンテンツ）をＹの値に応じて加工する。具体的には、上記算出された表示領域５１内に収まるように、各ページ毎の画像を分割する。図６は、画像分割の一例である。ここで、１ページ分の画像の横幅はＷと等しいものとする（図６（ａ））。そして、例えばＷが８０であり、Ｙが６０と算出された場合、図６（ｅ）に示すように、表示画面の表示領域５１の横幅Ｙは６０に、非表示領域５２の横幅は２０になる。この場合は、図６（ｂ）〜（ｄ）に示すように１ページ目を幅６０（Ａ）と幅２０（Ｂ）に、２ページ目を幅４０（Ｃ）と幅４０（Ｄ）に、３ページ目を幅２０（Ｅ）と幅６０（Ｆ）に分割する。そして、図６（ｆ）〜（ｇ）に示すように、表示画面６ｂに（Ａ）を表示し、表示画面６ａに（Ｂ）と（Ｃ）を表示する。この状態でページめくりが行われると、表示画面６ｂに（Ｄ）と（Ｅ）とを表示し、表示画面６ａに（Ｆ）を表示する。以上のように、表示領域５１の大きさに合わせて表示できるように画像データを適宜分割する。そして、画像データの分割が終われば、表示制御部５は、分割後の画像を表示画面６に表示し、表示制御処理を終了する。このように、電子ブック１の見開き角度に応じて表示領域の大きさを制御すれば、例えば電子ブック１を深い角度で折り曲げている場合、視認性の悪い奥のほうは何も表示せずに視認性の良い部分だけを利用してコンテンツを表示することができる。その結果、視認性、可読性の向上を図ることができる。
【００３７】
なお、上記のように画像を分割する替わりに、１ページ分の画像の横幅が表示領域５１の横幅Ｙと一致するように、画像を横方向に縮小して表示するようにしてもよい。
【００３８】
図４に戻り、次に、ステップＳ１１で表示制御モードが領域変更モードでない場合の処理について説明する。この場合は、表示制御部５は、表示制御モードが輝度変更モードは否かを判定する（ステップＳ１３）。当該判定の結果、輝度変更モードが選択されていれば（ステップＳ１３でＹＥＳ）、表示制御部５は、検出角度に応じた輝度の調整処理（ステップＳ１４）を行い、表示制御処理を終了する。一方、表示制御モードが輝度変更モードでもないときは（ステップＳ１３でＮＯ）、表示制御部５は、検出角度に応じたコントラスト調整処理（ステップＳ１５）を行い、表示制御処理を終了する。
【００３９】
上記ステップＳ１４およびＳ１５の処理を、図７および図８を用いて具体的に説明する。まず、図７は、上記ステップＳ１４で行われる輝度調整の一例を示す図である。ここで行われる輝度の調整方法は、まず、表示画面６ａおよび６ｂを、その外側からＹの幅を有する領域であって通常表示モードと同じ輝度で表示する領域（以下、通常輝度領域）７１と、それ以外の領域（以下、高輝度領域）７２とに分ける。そして、高輝度領域７２を、更に所定の間隔で縦に区切り（当該区切られた各領域を、段階領域７３と称す）、ヒンジ部１１に向かって段階的に各段階領域の輝度を高くしていくような輝度の調整を行うものである。すなわち、人間の眼から見て表示画面の手前の領域は通常の輝度で表示され、奥に行くほど段階的に高い輝度で表示される（図７（ｂ）参照）。
【００４０】
なお、表示画面の輝度の調整方法は任意である。例えば、バックライトを備えていない反射型液晶を表示画面に採用している場合には、液晶の透過率を変化させることによって表示画面の輝度を調整することができる。また、バックライトを備えた透過型または半透過型液晶を表示画面に採用している場合には、バックライトの輝度を変化させたり、液晶の透過率を変化させたり、これらを組み合わせたりすることによって表示画面の輝度を調整することができる。
【００４１】
表示制御部５は、まず、上記ステップＳ１２における表示領域５１の算出と同様の式を用いて通常輝度領域７１の幅Ｙを算出し、通常輝度領域７１及び高輝度領域７２を決定する。高輝度領域７２はさらに、それぞれＷ／１０の幅を有する１以上の段階領域７３に分割される。表示制御部５は、次に、段階領域７３において輝度を段階的に変化させるための輝度の変化値ΔＬを以下の式で算出する。なお、算出される値は小数点以下を四捨五入して扱うものとする。
ΔＬ＝（β−α）／１０
上記の式において、αは通常輝度領域７１における輝度（通常輝度）を示し、βは表示画面６が実現できる最高輝度を示す。
【００４２】
次に、各段階領域における輝度を算出する。これは、通常輝度領域７１の輝度を基準として、ヒンジ部１１に向かうにつれてΔＬを加算していくことで算出する。例えば、通常輝度領域７１に隣接する段階領域７３ａにおける輝度α１は、以下の式で算出する。
α１＝α＋ΔＬ
また、段階領域７３ａのヒンジ部１１側に隣接する段階領域７３ｂの輝度α２は、以下の式で算出する。
α２＝α１＋Ｌ
以下、段階領域７３がヒンジ部１１に近づくにつれ、ΔＬの値だけ輝度を高めていくことで、各段階領域の輝度を算出する。そして、表示制御部５は、高輝度領域７２の輝度を上記算出した輝度に調整し、表示制御処理を終了する。
【００４３】
このように、電子ブック１の見開き角度に応じて表示画面６の領域を複数の領域に区切り、それぞれの領域の輝度をヒンジ部１１に向かうにつれて段階的に上げていくことで、電子ブック１の視認性・可読性を向上させることができる。すなわち、電子ブック１を深い角度で折り曲げて利用する場合に、通常では視認性が低い、ヒンジ部１１に近い領域の輝度を段階的に上げて表示することで、ヒンジ部に近い領域に表示されているコンテンツ内容の視認性を上げることができる。また、高輝度領域７２を複数の段階領域に分割して輝度を段階的に変化させることにより、画面の輝度を部分的に変化させていることによる違和感をユーザに与えてしまうことを防止している。
【００４４】
次に、上記ステップＳ１５の処理を説明する。図８は、上記ステップＳ１５で行われるコントラスト調整の一例を示す図である。ステップＳ１５で行われる処理は、図８に示すように、通常表示モードと同じコントラストで表示する領域である通常コントラスト領域８１とそれ以外の領域である高コントラスト領域８２とに表示画面６を分ける。そして、高コントラスト領域を更に段階領域８３ａ、８３ｂおよび８３ｃで区切り、ヒンジ部１１に近づくにつれて段階的にコントラストを高めていくような表示制御を行うものである。ステップＳ１５におけるコントラスト調整処理は、輝度の代りにコントラストを調整する点が異なるだけで、その他の動作は上述のステップＳ１４の処理と同様であるので、ここでは詳細な説明を省略する。なお、コントラストの調整方法は任意である。例えば、文字部分の明るさと地の部分の明るさの差を変化させることによってコントラストを調整することができる。
【００４５】
このように、見開き角度に応じてヒンジ部１１に向かってコントラストを段階的に高めていくことで、上記輝度の調整の場合と同様に、電子ブック１を折り曲げて利用している場合における奥のほうの領域について、視認性・可読性を向上させることができる。
【００４６】
図３に戻り、ステップＳ６の表示制御処理が終了すると、表示制御部５は、終了指示の有無を判定する（ステップＳ７）。その結果、終了指示が出ていない場合は（ステップＳ７でＮＯ）、表示制御部５は、上記ステップＳ２に戻って処理を繰り返す。一方、終了指示が出された場合は（ステップＳ７でＹＥＳ）、表示制御部５は、当該コンテンツ表示処理を終了する。
【００４７】
このように、本実施形態では、見開き角度に応じて表示画面６の表示領域の大きさを変化することにより、視認性の良い部分のみを利用したコンテンツの表示ができる。また、見開き角度に応じて、表示画面６の輝度やコントラストをヒンジ部に向かって段階的に高めて表示することで、視認性・可読性を向上させる。その結果、電子ブックを深い角度で折り曲げていても、読みやすい表示を行うことができ、利用者の眼精疲労を防ぐことができる。
【００４８】
なお、上記ステップＳ１２において図５および図６を用いて説明した画像分割の処理に関して、画像を分割する箇所が文字と重なる場合は、適宜分割箇所をずらす、あるいは表示領域を拡大等するように調整を行っても良い。例えば、縦書きのコンテンツを表示する場合において、画像分割箇所と重なる行については、次の画面表示分に含める、あるいは分割箇所と重なる行が全て表示されるように一時的に表示領域を拡大する、等の調整処理が考えられる。
【００４９】
また、本実施形態では画像形式のデータのコンテンツを例として説明したため、上述のような画像の分割処理を行っているが、コンテンツがテキストデータの場合は、上記表示領域に収まるような行数または文字数を計算し、当該行数または文字数でコンテンツを表示すればよい。
【００５０】
また、本実施形態では、特殊表示モードに移行するか否かの閾値を９０度としているが、これに限らず、任意の見開き角度を閾値として利用者が設定できるようにしてもよい。また、輝度やコントラスト変化の段階数（上記段階領域の数）についても、本実施形態では最高１０段階としているが、これに限らず、利用者が段階数を設定できるようにしてもよい。
【００５１】
また、上述の実施形態では、見開き角度の変化が発生したタイミングで特殊表示モードへの移行の判定を行っているが、特殊表示モードに移行するタイミングを利用者に指示させるようにしてもよい。例えば、ページめくりコマンドを入力したタイミングで、その時の見開き角度を検出し、上述したような表示制御を行っても良い。また、「特殊表示ボタン」を設け、当該ボタンが押されたタイミングで上述したような表示制御を行うようにしてもよい。これにより、利用者の意思に沿わない表示制御処理（利用者が望む望まないに関わらず、見開き角度が変化する度に表示が変わってしまうこと等）を抑止することができる。更に、特殊表示モード自体を使用するか否かを利用者が選択できるようにしてもよい。
【００５２】
また、本実施形態では、表示領域のサイズを変化させるモード、画面の輝度を変化させるモード、画面のコントラストを変化させるモードの３つのモードを選択可能な電子ブックについて説明したが、本発明はこれに限らず、いずれか１つのモードのみに対応するものであってもよい。
【００５３】
また、本実施形態では、見開き角度が０〜９０度の範囲において、見開き角度が１０度変わる毎に画面の表示状態が段階的に変化する例を説明したが、本発明はこれに限らない。例えば、見開き角度がある閾値（例えば９０度）を超えたかどうかによって画面の表示状態を２通りに変化させるものであってもよい。
【００５４】
また、本実施形態では、２つの表示画面の連結にヒンジ部を用いた形態で説明したが、ヒンジ部に限らず、２つの表示画面を連結することができる部材であれば、何を用いてもよい。
【産業上の利用可能性】
【００５５】
本発明にかかる電子ブックおよび電子ブックに用いられる表示方法は、見開き角度に応じて表示画面の表示制御を行うことができ、電子ブックの他、２画面以上の表示画面を有し、見開くことができるよう開閉可能な構造を有するＰＤＡ（Ｐｅｒｓｏｎａｌ  Ｄｉｇｉｔａｌ  Ａｓｓｉｓｔａｎｔｓ）等にも有用である。
【図面の簡単な説明】
【００５６】
【図１】本発明の実施形態に係る電子ブックの外観図
【図２】本発明の実施形態に係る電子ブックを示す機能ブロック図
【図３】本発明の実施形態に係るコンテンツ表示処理を示すフローチャート
【図４】図３のステップＳ６で示した表示制御処理の詳細を示したフローチャート
【図５】図４のステップＳ１２で行われる表示領域調整の一例
【図６】領域制御モードにおける画像分割の一例
【図７】図４のステップＳ１４で行われる輝度調整の一例
【図８】図４のステップＳ１５で行われるコントラスト調整の一例
【符号の説明】
【００５７】
１  電子ブック
２  コンテンツ取得部
３  入力部
４  角度検出部
５  表示制御部
６  表示画面
１１  ヒンジ部
１３  部材
１４  コンテンツ格納媒体挿入部
５１  表示領域
５２  非表示領域
７１  通常輝度領域
７２  高輝度領域
７３  段階領域
８１  通常コントラスト領域
８２  高コントラスト領域
８３  段階領域
【図１】
2006243360.tif 000003
【図２】
2006243360.tif 000004
【図３】
2006243360.tif 000005
【図４】
2006243360.tif 000006
【図５】
2006243360.tif 000007
【図６】
2006243360.tif 000008
【図７】
2006243360.tif 000009
【図８】
2006243360.tif 000010